(57)【要約】      （修正有）【課題】清掃作業中に清掃シートのズレや外れを解消し、よりスムーズに清掃作業ができる、清掃用具を提供する。【解決手段】清掃シートを装着するための薄型板状本体部２と、薄型板状本体部の基端部から延設されてなる把持部３と、薄型板状本体部の側面側を固定端として裏側方向へ弾性的に押し込み可能な取付板４とを備え、取付板は、薄型板状本体部の表面から裏面へ貫通してなる線状孔５によって縁どられ、薄型板状本体部は、厚み方向に弾性的にしなることが可能な素材で成形され、薄型板状本体部の側面には、外方に突出してなる小さな突体が互いに離間して複数配設されてなる引掛部６を有する。【選択図】図１
0003226108.tif 000002
【実用新案登録請求の範囲】
【請求項１】
清掃シートを装着するための薄型板状本体部と、
前記薄型板状本体部の基端部から延設されてなる把持部と、
前記薄型板状本体部の側面側を固定端として裏側方向へ弾性的に押し込み可能な取付板とを備え、
前記取付板は、前記薄型板状本体部の表面から裏面へ貫通してなる線状孔によって縁どられ、
前記薄型板状本体部は、厚み方向に弾性的にしなることが可能な素材で成形され、
前記薄型板状本体部の側面には、外方に突出してなる小さな突体が互いに離間して複数配設されてなる引掛部を有することを特徴とする清掃用具。
【請求項２】
前記薄型板状本体部表面の前記線状孔外縁に沿って、表面に対し外方に突出してなる小さな係止片が、互いに離間して複数配設されてなるズレ止め部として設けられてなることを特徴とする請求項１記載の清掃用具。
【請求項３】
前記薄型板状本体部裏面の前記線状孔外縁に沿って裏面に対し外方に突出してなる小さな係止片が互いに離間して複数配設されてなる外れ止め部が設けられてなることを特徴とする請求項１または請求項２記載の清掃用具。
【請求項４】
前記薄型板状本体部の先端には、側方に膨出してなる掻き出し部を有することを特徴とする請求項１〜３のいずれか１つに記載の清掃用具。
【請求項５】
さらに、前記取付板の外縁には、前記線状孔の内面から突出してなる複数の抜け止め爪部が設けられてなることを特徴とする請求項１〜４のいずれか１つに記載の清掃用具。
【考案の詳細な説明】
【技術分野】
【０００１】
本考案は、清掃シートを装着して家具等の隙間の埃をふき取る清掃作業を行う清掃用具に関する。
【背景技術】
【０００２】
家具等の隙間の埃をふき取る清掃作業を行うために使用される清掃用具としては、従来、特許文献１に記載のものが知られている。清掃用具は、払拭シートを被清掃部位に押し付けるための作業面を表裏両面に備えた扁平なシート取付部材と、該シート取付部材の側面に上下反転自在に取り付けられた、グリップの部分が何れかの作業面側に向けて折れ曲がっている握持用の柄と、上記シート取付部材に交換可能に装着された清掃用の払拭シートとからなるもので、シート取付部材に払拭シートを取り付け、清掃を行うものである。また、シート取付部材は弾性素材からなっており、さらに屈曲性を高めるための溝が設けられている。このように、シート取付部材が適度に屈曲することで、しゃがんだり、床に膝をついたりすることなく、自由な姿勢で清掃作業が行える。
【先行技術文献】
【特許文献】
【０００３】
【特許文献１】特開平８−８９４６５号公報
【考案の概要】
【考案が解決しようとする課題】
【０００４】
しかし、従来の構造では、シート取付部材が屈曲するものの、払拭シートがその負荷に耐えられず、清掃中に払拭シートがズレたり、外れたりすることがあり、その都度払拭シートを付け直す必要があった。また、清掃中に払拭シートがズレたり、外れたりすると、付着していたゴミやホコリが払拭シートから離れてしまい、清掃の作業効率を低下させる。
【課題を解決するための手段】
【０００５】
そこで、上記課題を解決するための手段として本考案に係る清掃用具は、清掃シートを装着するための薄型板状本体部と、前記薄型板状本体部の基端部から延設されてなる把持部と、前記薄型板状本体部の側面側を固定端として裏側方向へ弾性的に押し込み可能な取付板とを備え、前記取付板は、前記薄型板状本体部の表面から裏面へ貫通してなる線状孔によって縁どられ、前記薄型板状本体部は、厚み方向に弾性的にしなることが可能な素材で成形され、前記薄型板状本体部の側面には、外方に突出してなる小さな突体が互いに離間して複数配設されてなる引掛部を有することを特徴とする。
【０００６】
前記引掛部は、前記薄型板状本体部の両側面に備えてもよい。清掃シートをより固定できるからである。
【０００７】
前記取付板は、前記薄型板状本体部の両側面を固定端とするものでもよい。複数個所で清掃シートを挟むことにより、清掃シートをより固定できるからである。
【０００８】
前記取付板は、前記薄型板状本体部の先端部側および基端部側の側面を固定端とするものでもよい。前記薄型板状本体部の短手方向が短くなり、前記薄型板状本体部をよりコンパクト化できるからである。
【０００９】
前記薄型板状本体部表面の前記線状孔外縁に沿って、表面に対し外方に突出してなる小さな係止片が、互いに離間して複数配設されてなるズレ止め部として設けられてなるとしても好ましい。
【００１０】
また、前記薄型板状本体部裏面の前記線状孔外縁に沿って裏面に対し外方に突出してなる小さな係止片が互いに離間して複数配設されてなる外れ止め部が設けられてなるとしても好ましい。
【００１１】
さらに、前記薄型板状本体部の先端には、側方に膨出してなる掻き出し部を有することとしても好ましい。
【００１２】
さらにまた、前記取付板の外縁には、前記線状孔の内面から突出してなる複数の抜け止め爪部が設けられてなるとしても好ましい。
【考案の効果】
【００１３】
本考案によれば、清掃作業中に清掃シートのズレや外れを解消することができる。
【００１４】
薄型板状本体部の側面に外方に突出してなる小さな突体が互いに離間して複数配設されてなる引掛部を有することにより、清掃シートと前記薄型板状本体部との引掛り状態を的確なものとすることができる。
【００１５】
これにより、前記薄型板状本体部が清掃対象となっている床面等に押し付けられて厚み方向に弾性的にしなっても、薄型板状本体部から清掃シートが離脱することがないので、しゃがんだり、膝をついたりすることなく、自由な体勢で清掃が行える。
【図面の簡単な説明】
【００１６】
【図１】本考案の正面図である。
【図２】本考案の背面図である。
【図３】本考案の右側面図である。
【図４】本考案の取付板の拡大図である。
【図５】本考案の引掛部の役割を表す拡大図である。
【図６】本考案のズレ止め部の役割を表す拡大図である。
【図７】本考案の外れ止め部の役割を表す拡大図である。
【図８】本考案の抜け止め爪部の役割を表す拡大図である。
【図９】本考案に清掃シートを装着した際の拡大図である。
【図１０】本考案の使用時の状態を表す斜視図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。
【００１８】
図１〜図１０は本考案の清掃用具１の一実施例を示すものである。この清掃用具１は、清掃シート１２を装着するための薄型板状本体部２と、薄型板状本体部２の基端部から延設されてなる把持部３と、前記薄型板状本体部２の側面側を固定端として裏側方向へ弾性的に押し込み可能な取付板４とを備えている。また、前記薄型板状本体部２と前記把持部３は、逆方向に引っ張ることで取り外しが可能である。
【００１９】
前記薄型板状本体部２は、略長方形をなし、ゴムや合成樹脂等の弾性素材によって扁平な板状に形成され、厚み方向に弾性的にしなる。また、前記薄型板状本体部２の先端には、側方に膨出してなる掻き出し部９を有する。前記掻き出し部９を有することにより、床の埃をより効率的に取り除くことができる。前記掻き出し部９は、前記薄型板状本体部２の先端に複数配設されてもよい。
【００２０】
前記把持部３は、前記薄型板状本体部２の基端部から外方にまっすぐ突出するように形成されている。前記把持部３は、ゴムや合成樹脂等の弾性素材が好ましい。
【００２１】
前記取付板４は図４に示すように、前記薄型板状本体部２の表面から裏面へ貫通してなる線状孔５によって縁どられている。前記取付板４は、前記薄型板状本体部２に複数設けられていてもよい。前記取付板４は、ゴムや合成樹脂等の弾性素材からなり、裏側方向へ弾性的に押し込むことで、清掃シート１２を挟む。また前記線状孔５の好ましい幅は、２〜４ｍｍ程度である。清掃シート１２は、布や不織布からなり、一辺の長さが前記板状本体部の長辺と同程度であればよい。なお、前記取付板４には清掃シート１２を挟む際に装着がスムーズになるよう、複数の凸部１１が設けられている。
【００２２】
引掛部６は、図５に示すように、前記薄型板状本体部２の側面から外方に突出してなる小さな突体が、互いに離間して複数配設されてなる。前記引掛部６は、清掃シート１２と絡み合い、清掃シート１２を固定する。前記引掛部６の形状は、略三角形が好ましい。
【００２３】
ズレ止め部７は、図６に示すように、前記薄型板状本体部２表面の前記線状孔５外縁に沿って、表面に対し外方に突出してなる小さな係止片が、互いに離間して複数配設されてなる。前記ズレ止め部７が清掃シート１２と絡むことで、清掃シート１２のズレを防ぐ。前記ズレ止め部７にかかる係止片の先端はとがっている形状であることが好ましい。
【００２４】
外れ止め部８は、図７に示すように、前記薄型板状本体部２裏面の前記線状孔５外縁に沿って裏面に対し外方に突出してなる小さな係止片が互いに離間して複数配設されてなる。前記外れ止め部８が前記取付板４に挟んだ清掃シート１２の端と絡み合うことで、清掃シート１２が本体から外れるのを防ぐ。前記外れ止め部８にかかる係止片の先端はとがっている形状であることが好ましい。
【００２５】
前記抜け止め爪１０部は、図８に示すように、前記線状孔５の内面から複数突出してなる。前記抜け止め爪１０部は、前記取付板４で挟んだ清掃シート１２が外れないように返しの役割をなす。前記抜け止め爪１０部の形状は、略三角形が好ましい。略三角形の先端で、清掃シートを固定するためである。
【符号の説明】
【００２６】
１  清掃用具
２  薄型板状本体部
３  把持部
４  取付板
５  線状孔
６  引掛部
７  ズレ止め部
８  外れ止め部
９  掻き出し部
１０  抜け止め爪
１１  凸部
１１a  飾り
１２  清掃シート
１３  隙間
１４  家具
１５  フローリング
１６  手
【図１】
0003226108.tif 000003
【図２】
0003226108.tif 000004
【図３】
0003226108.tif 000005
【図４】
0003226108.tif 000006
【図５】
0003226108.tif 000007
【図６】
0003226108.tif 000008
【図７】
0003226108.tif 000009
【図８】
0003226108.tif 000010
【図９】
0003226108.tif 000011
【図１０】
0003226108.tif 000012